(57)【要約】  空気調和機は、圧縮機、室外熱交換器、絞り装置及び室内熱交換器を配管接続して、冷媒を循環する冷媒回路を有する空気調和機であって、室内熱交換器を構成する伝熱管の温度を検知する配管温度センサと、室内熱交換器と対向し、室内空間に空気を吹き出す室内送風機と、圧縮機の駆動における駆動周波数及び室内送風機の回転駆動における回転数を制御する制御装置と、を備え、制御装置は、冷房運転を行うための圧縮機の運転開始時から室内熱交換器が結露に至ると想定されるあらかじめ定められた第１設定時間を経過した後に、室内送風機を駆動させ、配管温度センサが検出する配管温度と、室内熱交換器が凍結に至ると想定されるあらかじめ定められた配管設定温度とを比較して、配管温度が配管設定温度未満であると判定すると、第１設定時間を経過する前でも室内送風機を駆動させるものである。
2020230233.tif 000002
【特許請求の範囲】
【請求項１】
圧縮機、室外熱交換器、絞り装置及び室内熱交換器を配管接続して、冷媒を循環する冷媒回路を有する空気調和機であって、
前記室内熱交換器を構成する伝熱管の温度を検知する配管温度センサと、
前記室内熱交換器と対向し、室内空間に空気を吹き出す室内送風機と、
前記圧縮機の駆動における駆動周波数及び前記室内送風機の回転駆動における回転数を制御する制御装置と、
を備え、
前記制御装置は、
冷房運転を行うための前記圧縮機の運転開始時から前記室内熱交換器が結露に至ると想定されるあらかじめ定められた第１設定時間を経過した後に、前記室内送風機を駆動させ、
前記配管温度センサが検出する配管温度と、前記室内熱交換器が凍結に至ると想定されるあらかじめ定められた配管設定温度とを比較して、前記配管温度が前記配管設定温度未満であると判定すると、前記第１設定時間を経過する前でも前記室内送風機を駆動させる空気調和機。
【請求項２】
前記制御装置は、
前記室内送風機を駆動させる前に、
前記配管温度と露点温度とを比較し、前記配管温度が前記露点温度未満であると判定すると、前記配管温度が前記露点温度未満となった時からあらかじめ定められた第２設定時間を経過した後に前記室内送風機を駆動させる請求項１に記載の空気調和機。
【請求項３】
前記室内空間の温度を検知する室内温度センサと、
前記室内空間の湿度を検知する湿度センサと、
を更に備え、
前記制御装置は、
前記室内温度センサが検知する室内温度と、前記湿度センサが検知する湿度と、に基づき前記露点温度を算出する請求項２に記載の空気調和機。
【請求項４】
前記制御装置に使用者の指示を入力するための操作部と、前記制御装置に基づく動作状態を表示する表示部と、有し、前記制御装置と通信するリモートコントローラを更に備え、
前記制御装置は、
前記圧縮機の運転開始からあらかじめ定められた第３設定時間を経過するまでの間、前記表示部に、あらかじめ設定した文字を表示する請求項３に記載の空気調和機。
【請求項５】
前記室内空間の温度を検知する室内温度センサと、
人の位置を検知する人感センサと、
を更に備え、
前記制御装置は、
前記室内温度センサが検知する室内温度と、使用者によってあらかじめ定められた室内設定温度とを比較し、前記室内温度が前記室内設定温度以下であると判定すると、
前記圧縮機を停止させると共に、前記室内送風機から吹き出される風を人のいない方向に向ける請求項１又は２に記載の空気調和機。
【請求項６】
人の位置を検知する人感センサを更に備え、
前記制御装置は、
前記室内温度センサが検知する前記室内温度と、使用者によってあらかじめ定められた室内設定温度とを比較し、前記室内温度が前記室内設定温度以下であると判定すると、
前記圧縮機を停止させると共に、前記室内送風機から吹き出される風を人のいない方向に向ける請求項３又は４に記載の空気調和機。
【請求項７】
前記室内熱交換器と前記室内送風機とを収容し、前記室内送風機の駆動により前記室内熱交換器を空気が吹き出される複数の吹出口を形成する筐体を更に備え、
前記制御装置は、
前記複数の吹出口のうち人のいない方向の前記複数の吹出口を開放し、
前記複数の吹出口のうち人のいる方向の前記複数の吹出口を閉鎖する請求項５又は６に記載の空気調和機。
【請求項８】
前記室内熱交換器と前記室内送風機とを収容し、前記室内送風機の駆動により前記室内熱交換器を空気が吹き出される複数の吹出口を形成する筐体を更に備え、
前記筐体は、前記複数の吹出口のそれぞれに風向板を有し、
前記制御装置は、
前記室内送風機から吹き出される風が人のいない方向に向かうように前記風向板の角度を調整する請求項５又は６に記載の空気調和機。
【発明の詳細な説明】
【技術分野】
【０００１】
本発明は、空気調和機に関するものである。特に、空気調和機の室内機から発生する異臭の抑制に関するものである。
【背景技術】
【０００２】
従来、異臭の発生を抑える技術として、冷房運転の開始時から第１の所定時間、室内ファンの運転を停止し、その後、第２の所定時間、吹出口に設けられ吹き出される空気の向きを変更する上下風向変更板を微開にし、室内ファンを低速運転する空気調和機が提案されている（例えば、特許文献１参照）。特許文献１に記載の空気調和機は、このような構成を有することで、熱交換器をある程度湿った状態にし、熱交換器に付着しているカビあるいは埃等を発生原因とする臭いの発生を抑制している。
【先行技術文献】
【特許文献】
【０００３】
【特許文献１】特開２００５−１２７５５８号公報
【発明の概要】
【発明が解決しようとする課題】
【０００４】
特許文献１の空気調和機は、冷房運転の開始時から第１の所定時間、室内ファンを停止する制御が行われる。しかし、数十メートルから百メートルまで配管長をフレキシブルに変更して配管が据え付けられる空気調和機は、配管長が短い場合、上記の制御では液管及び二相管の温度が下がりすぎてしまい熱交換器が凍結する可能性がある。逆に、空気調和機は、想定よりも配管長が長い場合、熱交換器がまだ乾いている間にファンを運転させてしまうことで、異臭の発生につながる場合もある。【０００５】
本発明は、上記のような課題を解決するものであり、異臭の発生を抑制すると共に、温度低下による熱交換器の凍結異常に至らない空気調和機を提供するものである。
【課題を解決するための手段】
【０００６】
本発明に係る空気調和機は、圧縮機、室外熱交換器、絞り装置及び室内熱交換器を配管接続して、冷媒を循環する冷媒回路を有する空気調和機であって、室内熱交換器を構成する伝熱管の温度を検知する配管温度センサと、室内熱交換器と対向し、室内空間に空気を吹き出す室内送風機と、圧縮機の駆動における駆動周波数及び室内送風機の回転駆動における回転数を制御する制御装置と、を備え、制御装置は、冷房運転を行うための圧縮機の運転開始時から室内熱交換器が結露に至ると想定されるあらかじめ定められた第１設定時間を経過した後に、室内送風機を駆動させ、配管温度センサが検出する配管温度と、室内熱交換器が凍結に至ると想定されるあらかじめ定められた配管設定温度とを比較して、配管温度が配管設定温度未満であると判定すると、第１設定時間を経過する前でも室内送風機を駆動させるものである。
【発明の効果】
【０００７】
本発明に係る空気調和機は、制御装置が、冷房運転を行うための圧縮機の運転開始時から室内熱交換器が結露に至ると想定されるあらかじめ定められた第１設定時間を経過した後に、室内送風機を駆動させる。空気調和機は、室内送風機を駆動させるまでの間に室内熱交換器の温度を急激に低下させることができ、室内熱交換器を結露させることができる。そして、空気調和機は、室内熱交換機を結露させることで室内熱交換器のフィンの表面等に付着した皮脂等の臭い物質、あるいは、ほこり等の汚れを洗い流すことができ、室内送風機の運転開始時の臭いの発生を抑制することができる。また、制御装置は、配管温度センサが検出する配管温度と、室内熱交換器が凍結に至ると想定されるあらかじめ定められた配管設定温度とを比較する。そして、制御装置は、配管温度が、室内熱交換器が凍結に至ると想定されるあらかじめ定められた配管設定温度未満であると判定すると、第１設定時間が経過する前でも室内送風機を駆動させる。空気調和機は、室内送風機を強制的に運転することで、室内熱交換器の凍結を防止することができる。空気調和機は、制御装置による上記の制御によって、異臭の発生を抑制すると共に、温度低下による熱交換器の凍結異常に至らない空気調和機を提供することができる。
【図面の簡単な説明】
【０００８】
【図１】実施の形態１に係る空気調和機の構成を示す模式図である。
【図２】図１の室内機の下面図である。
【図３】図２の室内機のＡ−Ａ線断面図である。
【図４】図２の室内機の吸込みグリルを外した下面図である。
【図５】実施の形態１に係る空気調和機の構成の模式図である。
【図６】室内制御基板の構成を説明するブロック図である。
【図７】実施の形態１に係る空気調和機の始動時におけるニオイカット制御のフローチャートである。
【図８】実施の形態１に係る空気調和機の各機器の動作図である。
【図９】実施の形態２に係る空気調和機のフローチャートである。
【図１０】実施の形態３に係る空気調和機のフローチャートである。
【発明を実施するための形態】
【０００９】
以下、実施の形態に係る空気調和機２００について図面等を参照しながら説明する。なお、図１を含む以下の図面では、各構成部材の相対的な寸法の関係及び形状等が実際のものとは異なる場合がある。また、以下の図面において、同一の符号を付したものは、同一又はこれに相当するものであり、このことは明細書の全文において共通することとする。また、理解を容易にするために方向を表す用語（例えば「上」、「下」、「右」、「左」、「前」、「後」など）を適宜用いるが、それらの表記は、説明の便宜上、そのように記載しているだけであって、装置あるいは部品の配置及び向きを限定するものではない。
【００１０】
実施の形態１．
［空気調和機２００］
図１は、実施の形態１に係る空気調和機２００の構成を示す模式図である。空気調和機２００は、冷媒を介して外気と室内の空気との間で熱を移動させることにより、室内を暖房又は冷房して空気調和を行う。空気調和機２００は、室外機１５０と、室内機１００とを有する。空気調和機２００は、室外機１５０と室内機１００とが冷媒配管１２０及び冷媒配管１３０により接続されて、冷媒が循環する冷媒回路１４０が構成されている。そして、空気調和機２００の冷媒回路１４０では、圧縮機３１、流路切替装置３２、室外熱交換器３３、膨張弁３４、室内熱交換器３０が冷媒配管を介して配管接続されている。
【００１１】
（室外機１５０）
室外機１５０は、圧縮機３１、流路切替装置３２、室外熱交換器３３、室外送風機３６及び膨張弁３４を有している。また、室外機１５０は、圧縮機３１、流路切替装置３２及び室外送風機３６を制御する室外制御基板３を有する。圧縮機３１は、吸入した冷媒を圧縮して吐出する。ここで、圧縮機３１は、インバータ装置を備えていてもよく、インバータ装置によって運転周波数を変化させて、圧縮機３１の容量を変更することができるように構成されてもよい。なお、圧縮機３１の容量とは、単位時間当たりに送り出す冷媒の量である。流路切替装置３２は、例えば四方弁であり、冷媒流路の方向の切り換えが行われる装置である。空気調和機２００は、室外制御基板３からの指示に基づいて、流路切替装置３２を用いて冷媒の流れを切り換えることで、暖房運転又は冷房運転を実現することができる。
【００１２】
室外熱交換器３３は、冷媒と室外空気との熱交換を行う。室外熱交換器３３は、暖房運転時には蒸発器の働きをし、冷媒配管１３０から流入した低圧の冷媒と室外空気との間で熱交換を行って冷媒を蒸発させて気化させる。室外熱交換器３３は、冷房運転時には、凝縮器の働きをし、流路切替装置３２側から流入した圧縮機３１で圧縮された冷媒と室外空気との間で熱交換を行って、冷媒を凝縮させて液化させる。室外熱交換器３３には、冷媒と室外空気との間の熱交換の効率を高めるために、室外送風機３６が設けられている。室外送風機３６は、室外制御基板３の指示に基づいて駆動又は停止が制御される。また、室外送風機３６は、室外制御基板３の指示に基づきファンモータの運転周波数が変化させられることでファンの回転速度が変更してもよい。室外送風機３６は、室外制御基板３によりファンの回転速度が制御されることで室外熱交換器３３に対する送風量が制御される。膨張弁３４は、絞り装置（流量制御手段）であり、膨張弁３４を流れる冷媒の流量を調節することにより、膨張弁として機能し、開度を変化させることで、冷媒の圧力を調整する。例えば、膨張弁３４が、電子式膨張弁等で構成された場合は、室外制御基板３の指示に基づいて開度調整が行われる。
【００１３】
室外制御基板３は、電気品箱に収容され、室外機１５０が有する機器を制御する。実施の形態１に係る空気調和機２００において、室外制御基板３は、ケーブル５を介して送られた室内制御基板２からの指示に基づいて、圧縮機３１、流路切替装置３２、室外送風機３６及び膨張弁３４等を制御する。
【００１４】
（室内機１００）
図２は、図１の室内機１００の下面図である。図３は、図２の室内機１００のＡ−Ａ線断面図である。図２を含む以下の図面に示すＸ軸は、室内機１００の左右の幅方向を示し、Ｙ軸は室内機１００の前後方向を示し、Ｚ軸は室内機１００の上下方向を示すものである。より詳細には、Ｘ軸においてＸ１側を左側、Ｘ２側を右側、Ｙ軸においてＹ１側を前側、Ｙ２側を後側、Ｚ軸においてＺ１側を上側、Ｚ２側を下側として室内機１００を説明する。また、明細書中における各構成部材同士の位置関係（例えば、上下関係等）は、原則として、室内機１００を使用可能な状態に設置したときのものである。
【００１５】
実施の形態１の室内機１００は、室内の天井に埋め込むことができる天井埋め込み型の室内機であり、四方向に吹出口１３ｃが形成されている四方向カセット型の室内機である。室内機１００の外部構成について図２及び図３を用いて説明する。室内機１００は、図３に示すように、室内送風機２０、室内熱交換器３０等を内部に収容する筐体１０を有している。筐体１０は、天井壁を構成する天板１１と、前後左右の４つの側壁を構成する側板１２とを有しており、室内に面する下方側（Ｚ２側）が開口している。そして、筐体１０の開口部分には、図２に示すように、平面視で略四角形状の化粧パネル１３が取り付けられる。
【００１６】
化粧パネル１３は、板状の部材であり、一方の面は天井及び壁などの被取付部に面しており、他方の面は空調の対象空間となる室内に面している。図２及び図３に示すように、化粧パネル１３の中央付近には貫通孔である開口部１３ａが形成されており、開口部１３ａには、吸込みグリル１４が取り付けられている。この吸込みグリル１４には、空調の対象空間となる室内から筐体１０内に気体が流入する吸込口１４ａが形成されている。吸込みグリル１４の筐体１０側には、吸込みグリル１４を通過した後の空気を除塵するフィルタ（図示せず）が配置されている。化粧パネル１３は、化粧パネル１３の外縁部１３ｂと、開口部１３ａを形成する内縁部との間に気体が流出する吹出口１３ｃが形成されている。吹出口１３ｃは、化粧パネル１３の４つの各辺に沿ってそれぞれ形成されている。すなわち、筐体１０は、後述する室内熱交換器３０と室内送風機２０とを収容し、室内送風機２０の駆動により室内熱交換器３０を通過する空気が吹き出される複数の吹出口１３ｃを形成している。筐体１０は、筐体１０の内部において、吸込口１４ａと吹出口１３ｃとの間に風路を形成する。
【００１７】
各吹出口１３ｃには、風向きを変更するベーン１５が設けられている。室内機１００は、ベーン１５の角度を変更することにより吹出口１３ｃから吹き出される風の向きを変更することができる。ベーン１５は、モータ（図示は省略）と接続され、後述する制御装置７０によってその角度を変更することができる風向板である。また、制御装置７０は、ベーン１５の角度によって、吹出口１３ｃを開放し、または、吹出口１３ｃを閉鎖することができる。
【００１８】
図４は、図２の室内機１００の吸込みグリル１４を外した下面図である。次に、図３及び図４を用いて室内機１００の内部構成について説明する。室内機１００は、室内熱交換器３０が熱交換を行う空気の流れを調整する室内送風機２０と、冷媒と室内空気との間で熱交換を行う室内熱交換器３０と、を有する。室内送風機２０は、室内機１００の吸込口１４ａから室内の気体を流入させ、室内機１００の吹出口１３ｃから室内に気体を流出させる。室内送風機２０は、筐体１０内において吸込みグリル１４と対向して配置されている。また、室内送風機２０は、回転軸が鉛直方向（Ｚ軸方向）に延びるように筐体１０内に配置されている。室内送風機２０は、後述する室内制御基板２の指示に基づいて駆動又は停止が制御される。また、室内送風機２０は、室内制御基板２の指示に基づきファンモータの運転周波数が変化させられることでファンの回転速度が変更する。室内送風機２０は、室内制御基板２によりファンの回転速度が制御されることで室内熱交換器３０に対する送風量が制御される。
【００１９】
室内熱交換器３０は、筐体１０内において室内送風機２０と吹出口１３ｃとの間の風路に配置されている。室内熱交換器３０は、室内熱交換器３０の内部を流れる冷媒と風路を流れる気体とを熱交換させる。室内熱交換器３０は、内部を流れる冷媒と室内空気とを熱交換させることで空調空気を作り出す。室内熱交換器３０は、例えば、フィンチューブ型の熱交換器であり、気体の流れにおいて室内送風機２０の下流側において、室内送風機２０を囲むように配置されている。室内熱交換器３０は、暖房運転時には、凝縮器の働きをし、冷媒配管１２０から流入した冷媒と室内空気との間で熱交換を行い、冷媒を凝縮させて液化させ、冷媒配管１３０側に流出させる。室内熱交換器３０は、冷房運転時には蒸発器の働きをし、膨張弁３４によって低圧状態にされた冷媒と室内空気との間で熱交換を行い、冷媒に空気の熱を奪わせて蒸発させて気化させ、冷媒配管１２０側に流出させる。
【００２０】
室内送風機２０及び室内熱交換器３０は、筐体１０内において、吸込口１４ａよりも空気の下流側に配置され、吹出口１３ｃよりも空気の上流側に配置されている。また、室内機１００は、室内送風機２０が、吸込みグリル１４の上方に配置されており、室内熱交換器３０が、室内送風機２０の径方向に配置されている。また、室内機１００は、吸込みグリル１４が、室内熱交換器３０よりも下方に配置されている。
【００２１】
また、室内機１００は、ベルマウス１６を有している。ベルマウス１６は、図３及び図４に示すように、室内機１００の空気の流入側において、室内送風機２０の上流側に設置されている。ベルマウス１６は、吸込みグリル１４の吸込口１４ａから流入した気体を整流して室内送風機２０に送る。
【００２２】
また、室内機１００は、筐体１０内において、ベルマウス１６と、吸込みグリル１４との間に、電気品箱４０を備える。電気品箱４０は、空気調和機２００全体を制御する室内制御基板２などの装置を内部に備えた箱である。電気品箱４０内の装置は、室内機１００の機器に電力供給を行い、また、空気調和機２００を構成する各種機器との間で信号の送受信（通信）を行う。電気品箱４０は、略直方体状に形成されている。電気品箱４０は、室内側から天井を見た平面視において、化粧パネル１３に形成された開口部１３ａ内に配置されており、電気品箱４０の長手方向が、開口部１３ａの一辺を形成する化粧パネル１３の縁部に沿って配置されている。電気品箱４０は、例えば、ねじ等の固定部材によって筐体１０内に固定されている。また、室内機１００は、ケーブル５を有している。ケーブル５は、室内機１００と室外機１５０との間のデータを含む信号の通信を行う際の通信線である。ただし、室内機１００と室外機１５０とは、ケーブル５を用いるように有線で接続される構成に限定されるものではない。室内機１００と室外機１５０とは、無線で接続されてもよい。
【００２３】
次に、図１に基づいて、室内機１００が有する検知装置である各種センサについて説明する。室内機１００は、室内温度センサ５０、配管温度センサ５２、湿度センサ５４及び人感センサ５６を少なくとも有している。
【００２４】
室内温度センサ５０は、空調対象空間である室内空間の空気の温度を検知する。また、湿度センサ５４は、空調対象空間である室内空間の湿度を検知する。室内温度センサ５０及び湿度センサ５４は、室内機１００の吸込口１４ａを通過する空気の温度及び湿度を検知する。室内温度センサ５０及び湿度センサ５４は、吸込口１４ａと室内送風機２０との間に配置される。ただし、室内温度センサ５０及び湿度センサ５４の設置位置は当該位置に限定されるものではなく、室内機１００の構造に基づき、室内温度及び室内湿度の検知にとって適切な位置に配置される。室内温度センサ５０及び湿度センサ５４によって検知された空気の温度及び湿度は、室内制御基板２によって受信される。
【００２５】
配管温度センサ５２は、室内熱交換器３０に設置され、室内熱交換器３０を構成する伝熱管の温度を検知する。ここで、配管温度センサ５２が検知する伝熱管の温度は、吹出口１３ｃから吹き出される空気の温度として扱うこともできる。したがって、配管温度センサ５２は、室内機１００の吹出空気の温度を検知する吹出温度センサにもなる。配管温度センサ５２によって検知された配管の温度は、室内制御基板２によって受信される。
【００２６】
また、人感センサ５６は、例えば、赤外線センサである。なお、人感センサ５６は、赤外線センサに限定されるものではなく、人の位置を検知できるセンサであれば、例えば、超音波センサ等、他の方式のセンサであってもよい。人感センサ５６が赤外線センサである場合、人感センサ５６は、室内における床面及び壁面の輻射熱、及び、室内にいる人等の表面から放射される熱の温度を検知する。ここで、床面及び壁面の輻射熱の温度を床壁面温度とする。人感センサ５６は、図２及び図３に示すように吹出口１３ｃの脇となる筐体１０の下面部に、化粧パネル１３から突出して設置されている。人感センサ５６の赤外線受光部には駆動モータ（図示せず）が接続されている。室内制御基板２が、この駆動モータを駆動させることで、赤外線受光部を回転（走査）させることができる。
【００２７】
室内制御基板２は、赤外線受光部を走査し、回転方向における温度を検出していくことで、たとえば、室内制御基板２が、二次元の温度分布として表される熱画像を生成することができる。そして、室内制御基板２は、生成した熱画像から、床壁面温度、室内にいる人の位置などを検出することができる。また、室内制御基板２は、その人の位置のデータを時系列で記憶することで、人が動いているか停止しているかなどの活動状態を判定することができる。また、室内制御基板２は、人の動きの変化から室内における活動範囲を把握などすることができる。このため、室内制御基板２は、室内空間の形状、家具の配置などを推測することができる。
【００２８】
図５は、実施の形態１に係る空気調和機２００の構成の模式図である。図６は、室内制御基板２の構成を説明するブロック図である。室内制御基板２は、室内機１００が有する機器を制御する。また、室内制御基板２は、ケーブル５を介して、室外機１５０が有する室外制御基板３に、室外機１５０が有する機器の制御を指示する。特に、実施の形態１に係る空気調和機２００における室内制御基板２は、各種センサから送られる信号に含まれる温度等のデータの処理、演算処理及び判定処理等を行い、主として、室内送風機２０の駆動及び停止の制御を行う。
【００２９】
室内制御基板２は、制御装置７０、記憶装置８０及び計時装置９０を有している。記憶装置８０は、制御装置７０が処理を行う際に用いるデータを記憶する。また、計時装置９０は、タイマ等を有し、制御装置７０が時間の判定に用いる計時を行う。
【００３０】
制御装置７０は、データ処理部７１、判定処理部７２、演算処理部７３及び制御処理部７４を有している。データ処理部７１は、例えば、各種センサから送られた信号を処理する。具体的には、データ処理部７１は、室内温度センサ５０、後述するリモート温度センサ５８等によって検知された信号に基づいて室内温度を検出する。同様に、データ処理部７１は、配管温度センサ５２によって検知された信号に基づいて室内熱交換器３０の伝熱管の配管温度を検出する。また、データ処理部７１は、湿度センサ５４によって検知された信号に基づいて室内の湿度を検出する。さらに、データ処理部７１は、人感センサ５６からの信号に基づいて、熱画像を生成し、床面及び壁面の輻射熱に係る床壁面温度、人の発熱温度などを検出する。
【００３１】
判定処理部７２は、データ処理部７１で処理されたデータと、記憶装置８０に記憶された閾値とに基づき各種の判定処理を行う。演算処理部７３は、各種演算処理を行う。演算処理部７３は、例えば、床壁面温度、室温、室内での人の温度などから、室内にいる人の位置を算出する。制御処理部７４は、たとえば、判定処理部７２の判定に基づき、機器の制御を行う。実施の形態１に係る空気調和機２００では、制御装置７０の制御処理部７４は、圧縮機３１の駆動における駆動周波数及び室内送風機２０の回転駆動における回転数を制御する。そして、実施の形態１に係る空気調和機２００では、制御装置７０の制御処理部７４は、室内送風機２０の駆動及び停止を制御する。あるいは、制御装置７０の制御処理部７４は、ベーン１５の角度を調整することができる。
【００３２】
ここで、室内制御基板２の制御装置７０は、専用のハードウェア、または、記憶装置８０に格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサともいう）で構成される。
【００３３】
制御装置７０が専用のハードウェアである場合、制御装置７０は、例えば、単一回路、複合回路、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、または、これらを組み合わせたものが該当する。制御装置７０が実現する各機能部のそれぞれを、個別のハードウェアで実現してもよいし、各機能部を一つのハードウェアで実現してもよい。
【００３４】
制御装置７０がＣＰＵの場合、制御装置７０が実行する各機能は、ソフトウェア、ファームウェア、またはソフトウェアとファームウェアとの組み合わせにより実現される。ソフトウェア及びファームウェアはプログラムとして記述され、記憶装置８０に格納される。ＣＰＵは、記憶装置８０に格納されたプログラムを読み出して実行することにより、制御装置７０の各機能を実現する。
【００３５】
なお、制御装置７０の機能の一部を専用のハードウェアで実現し、一部をソフトウェアまたはファームウェアで実現するようにしてもよい。
【００３６】
記憶装置８０は、データを一時的に記憶できるランダムアクセスメモリ（ＲＡＭ）などの揮発性記憶装置（図示せず）及びハードディスク、データを長期的に記憶できるフラッシュメモリなどの不揮発性の補助記憶装置（図示せず）を有している。記憶装置８０には、データ処理部７１、判定処理部７２、演算処理部７３及び制御処理部７４が行う処理手順をプログラムとしたデータを有している。なお、ここでは室内制御基板２が、制御装置７０として各種処理を行うものとして説明するが、室外制御基板３等、あるいは、リモートコントローラ１６０等の他の制御装置が、制御装置７０として室内制御基板２が行う各種処理を行うようにしてもよい。
【００３７】
空気調和機２００は、リモートコントローラ１６０を有する。リモートコントローラ１６０は、使用者が空気調和機２００を遠隔操作するために利用される機器である。リモートコントローラ１６０は、操作部１６１と、表示部１６２とを有する。操作部１６１は、空気調和機２００の制御装置７０に対する使用者の指示を入力するための入力装置である。操作部１６１を構成する入力方式は、特に限定されるものではなく、例えば、ボタンでもよく、接触式のセンサでもよく、あるいは、音声入力のためのマイクであってもよい。表示部１６２は、制御装置７０に基づく空気調和機２００の動作状態、例えば、冷房、暖房、除湿等の各種制御モード、設定温度、検知された室温、設定湿度、検知された湿度、現在時刻等、を表示するものである。表示部１６２は、例えば、液晶ディスプレイ、有機液晶ディスプレイ等を使用することができる。
【００３８】
リモートコントローラ１６０は、リモコン線６によって室内制御基板２に接続されており、リモコン線６を介して室内制御基板２の制御装置７０との間で通信し、信号の送受信が行われる。例えば、リモートコントローラ１６０は、空気調和機２００の運転を停止する停止信号を室内制御基板２に送信する。これにより、室内機１００及び室外機１５０の運転が停止される。また、リモートコントローラ１６０は、空気調和機２００の運転を開始する開始信号を室内制御基板２に送信する。これにより、室内機１００及び室外機１５０の運転が開始される。なお、リモートコントローラ１６０と、室内制御基板２とは、リモコン線６によって接続される構成に限定されるものではない。リモートコントローラ１６０と、室内制御基板２とは、無線によって接続されることで信号の送受信が行われてもよい。
【００３９】
リモートコントローラ１６０には、リモート温度センサ５８が配置されている。リモート温度センサ５８は、空調対象空間の空気の温度である室温を検知する。空気調和機２００は、リモート温度センサ５８を有していることで、室内機１００及び室外機１５０の運転が停止している場合でも、室内の温度を検知することができる。リモート温度センサ５８によって検知された空気の温度は、室内制御基板２によって受信される。例えば、後述するサーモオフ時には、圧縮機３１及び室内送風機２０が停止しており、空気調和機２００は室内から風を吸い込めなくなる。そのため、制御装置７０は、室内機１００に吸い込まれる空気の温度を検知する室内温度センサ５０を使用できなくなりサーモオンのタイミングが分からなくなる場合がある。そのため、室内機１００に吸い込まれる空気の温度を検知する室内温度センサ５０ではなく、室内空間に配置されたリモートコントローラ１６０のリモート温度センサ５８によって室温を検出することで、制御装置７０は、サーモオンの動作を行うことができる。
【００４０】
［空気調和機２００の動作例］
次に、空気調和機２００の動作例として冷房運転の動作を説明する。圧縮機３１によって圧縮され吐出された高温高圧のガス冷媒は、流路切替装置３２を経由して、室外熱交換器３３に流入する。室外熱交換器３３に流入したガス冷媒は、室外送風機３６により送風される外気との熱交換により凝縮し、低温の冷媒となって、室外熱交換器３３から流出する。室外熱交換器３３から流出した冷媒は、膨張弁３４によって膨張及び減圧され、低温低圧の気液二相冷媒となる。この気液二相冷媒は、室内機１００の室内熱交換器３０に流入し、室内送風機２０により送風される室内空気との熱交換により蒸発し、低温低圧のガス冷媒となって室内熱交換器３０から流出する。このとき、冷媒に吸熱されて冷却された室内空気は、空調空気（吹出風）となって、室内機１００から室内（空調対象空間）に吹き出される。室内熱交換器３０から流出したガス冷媒は、流路切替装置３２を経由して圧縮機３１に吸入され、再び圧縮される。空気調和機２００の冷房運転は、以上の動作が繰り返される。
【００４１】
次に、空気調和機２００の動作例として暖房運転の動作を説明する。圧縮機３１によって圧縮され吐出された高温高圧のガス冷媒は、流路切替装置３２を経由して、室内機１００の室内熱交換器３０に流入する。室内熱交換器３０に流入したガス冷媒は、室内送風機２０により送風される室内空気との熱交換により凝縮し、低温の冷媒となって、室内熱交換器３０から流出する。このとき、ガス冷媒から熱を受け取り暖められた室内空気は、空調空気（吹出風）となって、室内機１００から室内（空調対象空間）に吹き出される。室内熱交換器３０から流出した冷媒は、膨張弁３４によって膨張及び減圧され、低温低圧の気液二相冷媒となる。この気液二相冷媒は、室外機１５０の室外熱交換器３３に流入し、室外送風機３６により送風される外気との熱交換により蒸発し、低温低圧のガス冷媒となって室外熱交換器３３から流出する。室外熱交換器３３から流出したガス冷媒は、流路切替装置３２を経由して圧縮機３１に吸入され、再び圧縮される。空気調和機２００の暖房運転は、以上の動作が繰り返される。
【００４２】
［ニオイカット制御］
図７は、実施の形態１に係る空気調和機２００の始動時におけるニオイカット制御のフローチャートである。図８は、実施の形態１に係る空気調和機２００の各機器の動作図である。ニオイカット制御とは、空気調和機２００の室内機１００に発生し得る異臭を抑制するために空気調和機２００に加えられる操作工程である。具体的には、ニオイカット制御とは、空気調和機２００の運転又は停止における室内送風機２０の駆動又は停止の制御である。図７及び図８を用いて、実施の形態１に係る空気調和機２００のニオイカット制御について説明する。
【００４３】
ここで、室内機１００において異臭が発生するメカニズムについて説明する。近年、室内機に搭載される室内熱交換器は、省エネ及び効率化の影響を受け、フィンピッチが狭くなり、大容量化している。大容量化した室内熱交換器は、表面積が増えることにより、使用環境に基づく人間の皮脂、あるいは、油が室内機の吸込口から室内機内に侵入し、室内熱交換器に付着し易くなっている。そして、室内熱交換器に付着した人間の皮脂あるいは油が微生物によって分解されることで、室内熱交換器から吉草酸等の臭い物質が発生する。また、マクロでみると、室内交換器に付着したほこり、あるいは、カビの繁殖も室内交換器から異臭が発生する原因となる。このような状態の室内機において送風機の運転が行われると、室内機から吹き出される空気と共に異臭が空調対象空間に吹き出されてしまい、使用者は室内機から発せられる異臭を感じてしまう。この異臭は、室内熱交換器が濡れ始めるタイミングと乾き始めるタイミングとの両方で発生することが分かっている。
【００４４】
図７及び図８に示すように、使用者が、リモートコントローラ１６０を操作して空気調和機２００の冷房運転を開始すると、圧縮機３１が作動すると共に、ニオイカット制御が開始される（ステップＳ１）。図８に示すように、使用者が、リモートコントローラ１６０を操作することで空気調和機２００の冷房運転が開始されると、圧縮機３１が作動する。ただし、空気調和機２００の冷房運転が開始され、圧縮機３１が作動しても、室内送風機２０は、停止している。なお、冷房運転の開始は、使用者のリモートコントローラ１６０の操作による指示に限定されるものではない。例えば、空気調和機２００の制御装置７０は、室内温度を制御するために、サーモオフ及びサーモオンの動作を繰り返し行うが、制御装置７０の指示によるサーモオンの動作も冷房運転の開始として取り扱う。
【００４５】
ここで、空気調和機２００のサーモオフ及びサーモオンの動作について補足する。制御装置７０は、室内温度を制御するために、実際の室内温度Ｔｅｒと、室内設定温度Ｔｅｓｒとを比較して、室外機１５０及び室内機１００の運転を継続するか否かを判断する。実際の室内温度Ｔｅｒは、室内温度センサ５０によって検出された温度である。室内設定温度Ｔｅｓｒは、使用者等がリモートコントローラ１６０を使用して設定する目標室温である。冷房運転において、実際の室内温度Ｔｅｒが室内設定温度Ｔｅｓｒ以下の場合、制御装置７０は、使用者が求める冷房能力が確保されていると判断し、圧縮機３１及び室内送風機２０の運転を一旦停止するサーモオフの動作を行う。なお、サーモオフのときも、制御装置７０によって、室外機１５０及び室内機１００の運転を行うか否かの判断の動作は行われている。サーモオフのときにおいて、実際の室内温度Ｔｅｒが室内設定温度Ｔｅｓｒよりも高くなった場合、制御装置７０は、使用者が求める冷房能力が不足していると判断し、圧縮機３１及び室内送風機２０の運転を再開するサーモオンの動作を行う。
【００４６】
図７に戻り、ニオイカット制御では、制御装置７０は、計時装置９０に基づく運転開始時からの経過時間Ｔと、記憶装置８０に記憶されている第１設定時間Ｔ１とを比較する。そして、制御装置７０は、空気調和機２００の運転開始時からの経過時間Ｔが第１設定時間Ｔ１を超えたか否かを判定する（ステップＳ２）。ステップＳ２がＹＥＳの場合、すなわち、制御装置７０が、空気調和機２００の運転開始時からの経過時間Ｔが第１設定時間Ｔ１を超えたと判定した場合には、制御装置７０は、室内送風機２０を駆動させる（ステップＳ３）。なお、運転開始時とは、例えば、使用者による空気調和機２００の運転開始の指示を、リモートコントローラ１６０を介して制御装置７０が受信したときである。あるいは、運転開始時とは、制御装置７０が、サーモオフからサーモオンに動作を切り換えたときである。第１設定時間Ｔ１は、あらかじめ記憶装置８０に記憶されている。第１設定時間Ｔ１は、室内熱交換器３０が結露に至ると想定されるあらかじめ定められた時間である。第１設定時間Ｔ１は、例えば、空気調和機２００の配管長を最長にした場合を想定し、室内熱交換器３０の結露について行った試験結果に基づいて決定する。また、第１設定時間Ｔ１は、季節、時刻等によって異なるように設定されてもよい。また、第１設定時間Ｔ１は、各種センサの情報に基づき設定時間の長さが変化するように設定されてもよい。
【００４７】
ステップＳ２がＮＯの場合、すなわち、制御装置７０が、空気調和機２００の運転開始時からの経過時間Ｔが第１設定時間Ｔ１を超えていないと判定した場合は、制御装置７０は、配管温度Ｔｅｐと、記憶装置８０に記憶されている配管設定温度Ｔｅｓとを比較する。配管温度Ｔｅｐは、室内熱交換器３０の伝熱管の温度であり、配管温度センサ５２によって検知される温度である。配管設定温度Ｔｅｓは、室内熱交換器３０が凍結に至ると想定される温度であり、あらかじめ記憶装置８０に記憶されている。配管設定温度Ｔｅｓは、例えば０℃である。制御装置７０は、配管温度Ｔｅｐが配管設定温度Ｔｅｓ未満であるか否かを比較する（ステップＳ４）。
【００４８】
ステップＳ４がＹＥＳの場合、すなわち、配管温度Ｔｅｐが配管設定温度Ｔｅｓ未満であると制御装置７０が判定した場合には、制御装置７０は、室内送風機２０を駆動させる（ステップＳ３）。ステップＳ４がＮＯの場合、すなわち、配管温度Ｔｅｐが配管設定温度Ｔｅｓ未満であると制御装置７０が判定した場合には、制御装置７０は、空気調和機２００の運転開始時からの経過時間Ｔが第１設定時間Ｔ１を超えたか否かを判定する（ステップＳ２）。
【００４９】
［空気調和機２００の作用効果］
空気調和機２００は、運転開始後に第１設定時間Ｔ１が経過すると室内送風機２０が駆動するように制御されている。そのため、図８に示すように、空気調和機２００は、空気調和機２００の運転開始指示後すぐに圧縮機３１の作動し、圧縮機３１が作動した後、時間Ｔｎ秒後に室内送風機２０が作動する。空気調和機２００は、室内送風機２０が駆動するまでの時間Ｔｎの間に室内熱交換器３０の温度を急激に低下させることができ、室内熱交換器３０を結露させることができる。空気調和機２００は、室内熱交換器３０を結露させることで室内熱交換器３０のフィンの表面等に付着した皮脂等の臭い物質、あるいは、ほこり等の汚れを洗い流すことができ、室内送風機２０の運転開始時の臭いの発生を抑制することができる。
【００５０】
また、上述したように、異臭は、室内熱交換器が濡れ始めるタイミングで発生することが分かっている。空気調和機２００は、結露による室内熱交換器３０の濡れ始めのタイミングでは室内送風機２０の運転を停止している。そのため、空気調和機２００は、室内熱交換器３０の濡れ始めのタイミングで発生する異臭が空調対象空間に吹き出すことを抑制することができる。
【００５１】
空気調和機２００は、第１設定時間Ｔ１を経過する前に、配管温度Ｔｅｐが配管設定温度Ｔｅｓ（例えば、０℃）を下回った場合、室内送風機２０を強制的に運転することで、室内熱交換器３０の凍結異常を防止することができる。冷房シーズンにおける運転保障温湿度の下限は１９℃４０％ＲＨであり、露点温度は５．１℃である。そのため、室内熱交換器３０の配管温度Ｔｅｐが配管設定温度Ｔｅｓ（例えば、０℃）未満であるということは、室内空気は、露点温度を下回っているのは確実である。そのため、室内熱交換器３０は、結露しており、上述のように臭いの発生が抑制できている条件となっている。
【００５２】
実施の形態２．
図９は、実施の形態２に係る空気調和機２００のフローチャートである。実施の形態２に係る空気調和機２００の構成は、実施の形態１に係る空気調和機２００の構成と同一である。実施の形態２に係る空気調和機２００と、実施の形態１に係る空気調和機２００とは、室内送風機２０の駆動前の動作が異なるものである。実施の形態２に係る空気調和機２００において特に記述しない項目については、実施の形態１に係る空気調和機２００と同様とし、同一の機能及び構成については同一の符号を用いて述べることとする。
【００５３】
図９及び図８に示すように、使用者が、リモートコントローラ１６０を操作して空気調和機２００の冷房運転を開始すると、圧縮機３１が作動すると共に、ニオイカット制御が開始される（ステップＳ１１）。上述のように、使用者が、リモートコントローラ１６０を操作することで空気調和機２００の冷房運転が開始されると、圧縮機３１が作動する。ただし、空気調和機２００の冷房運転が開始され、圧縮機３１が作動しても、室内送風機２０は、停止している。
【００５４】
次に、ニオイカット制御では、制御装置７０は、計時装置９０に基づく運転開始時からの経過時間と、記憶装置８０に記憶されている第１設定時間Ｔ１とを比較する。そして、制御装置７０は、空気調和機２００の運転開始時からの経過時間Ｔが第１設定時間Ｔ１を超えたか否かを判定する（ステップＳ１２）。
【００５５】
ステップＳ１２がＹＥＳの場合、すなわち、制御装置７０が、空気調和機２００の運転開始時からの経過時間Ｔが第１設定時間Ｔ１を超えたと判定した場合には、制御装置７０は、露点温度Ｔｅｄを算出する（ステップＳ１３）。制御装置７０は、室内温度センサ５０によって検出された室内空気の温度である室内温度Ｔｅｒと、湿度センサ５４によって検出された室内空気の湿度である湿度Ｈｒとに基づいて室内空気の露点温度Ｔｅｄを算出する。算出された室内空気の露点温度Ｔｅｄは、記憶装置８０に記憶される。なお、露点温度Ｔｅｄは、例えば、室内温度に対応した形式であらかじめ記憶装置８０に記憶させてもよい。
【００５６】
制御装置７０は、露点温度Ｔｅｄの算出後（ステップＳ１３）、室内温度Ｔｅｒと、記憶装置８０に記憶されている露点温度Ｔｅｄとを比較する。そして、制御装置７０は、室内温度Ｔｅｒが露点温度Ｔｅｄ未満であるか否かを比較する（ステップＳ１４）。ステップＳ１４がＮＯの場合、すなわち、室内温度Ｔｅｒが、露点温度Ｔｅｄ以上の場合には、制御装置７０は、引き続き室内温度Ｔｅｒと、露点温度Ｔｅｄとを比較する（ステップＳ１４）。
【００５７】
ステップＳ１４がＹＥＳの場合、すなわち、室内温度Ｔｅｒが、露点温度Ｔｅｄ未満の場合には、制御装置７０は、経過時間Ｔ３と、記憶装置８０に記憶されている第２設定時間Ｔ２とを比較する。経過時間Ｔ３は、室内温度センサ５０により計測し続けられている室内温度Ｔｅｒ１が露点温度Ｔｅｄを下回っている時間である。そして、制御装置７０は、室内温度Ｔｅｒ１が露点温度Ｔｅｄを下回っている経過時間Ｔ３が第２設定時間Ｔ２を超えたか否かを判定する（ステップＳ１５）。ステップＳ１５がＮＯの場合、すなわち、経過時間Ｔ３が第２設定時間Ｔ２を経過していない場合、制御装置７０は、引き続き経過時間Ｔ３が第２設定時間Ｔ２を超えたか否かを判定する（ステップＳ１５）。
【００５８】
ステップＳ１５がＹＥＳの場合、すなわち、経過時間Ｔ３が第２設定時間Ｔ２を超えたと判定した場合には、制御装置７０は、室内送風機２０を駆動させる（ステップＳ１６）。第２設定時間Ｔ２は、あらかじめ記憶装置８０に記憶されている。なお、第２設定時間Ｔ２は、例えば、季節、時刻等によって異なるように設定されてもよい。また、第２設定時間Ｔ２は、各種センサの情報に基づき設定時間の長さが変化するように設定されてもよい。
【００５９】
ここで、ステップＳ１２に戻る。ステップＳ１２がＮＯの場合、すなわち制御装置７０が、空気調和機２００の運転開始時からの経過時間が第１設定時間Ｔ１を超えていないと判定した場合には、制御装置７０は、配管温度Ｔｅｐと、記憶装置８０に記憶されている配管設定温度Ｔｅｓとを比較する。制御装置７０は、配管温度Ｔｅｐが配管設定温度Ｔｅｓ未満であるか否かを比較する（ステップＳ１７）。
【００６０】
ステップＳ１７がＹＥＳの場合、すなわち、配管温度Ｔｅｐが配管設定温度Ｔｅｓ未満であると制御装置７０が判定した場合には、制御装置７０は、室内送風機２０を駆動させる（ステップＳ１６）。ステップＳ１７がＮＯの場合、すなわち、配管温度Ｔｅｐが配管設定温度Ｔｅｓ未満であると制御装置７０が判定した場合には、制御装置７０は、空気調和機２００の運転開始時からの経過時間Ｔが第１設定時間Ｔ１を超えたか否かを判定する（ステップＳ１２）。
【００６１】
制御装置７０は、空気調和機２００の冷房運転を開始してから第３設定時間Ｔ４の間、リモートコントローラ１６０の表示部１６２にあらかじめ設定した文字を表示させるように表示部１６２を制御してもよい。例えば、制御装置７０は、空気調和機２００の冷房運転を開始してから第３設定時間Ｔ４の間、リモートコントローラ１６０の表示部１６２に「冷房準備中」の文字を表示させるように表示部１６２を制御してもよい。第３設定時間Ｔ４は、記憶装置８０にあらかじめ記憶させた時間でもよく、各種機器の操作状態に応じて定められる時間であってもよい。第３設定時間Ｔ４は、例えば、使用者が、リモートコントローラ１６０を操作し、空気調和機２００の冷房運転を開始の入力を行った時から室内送風機２０が実際に駆動する時迄でもよい。あるいは、第３設定時間Ｔ４は、制御装置７０が、サーモオフからサーモオンに切り換えた時から室内送風機２０が実際に駆動する時迄でもよい。あるいは、第３設定時間Ｔ４は、第１設定時間Ｔ１と等しくてもよい。また、第３設定時間Ｔ４は、時間Ｔｎと等しくてもよい。すなわち、第３設定時間Ｔ４は、圧縮機３１の作動時から、室内送風機２０の駆動時迄でもよい。なお、あらかじめ設定した文字は、文字に限定するものではなく、使用者が表示内容を理解できるものであれば、記号、あるいは、数字等であってもよい。
【００６２】
［空気調和機２００の作用効果］
制御装置７０は、室内温度Ｔｅｒ１が露点温度Ｔｅｄを下回っている経過時間Ｔ３が第２設定時間Ｔ２を超えたか否かを判定する。そのため空気調和機２００は、実施の形態１に係る空気調和機２００と比較して、更に確実に室内熱交換器３０を結露させることができる。空気調和機２００は、室内熱交換器３０を結露させることで室内熱交換器３０のフィンの表面等に付着した皮脂等の臭い物質、あるいは、ほこり等の汚れを洗い流すことができ、室内送風機２０の運転開始時の臭いの発生を抑制することができる。
【００６３】
制御装置７０は、使用者が、リモートコントローラ１６０を操作して空気調和機２００の冷房運転を開始してから第３設定時間Ｔ４の間、リモートコントローラ１６０の表示部１６２にあらかじめ設定した文字を表示させる。そのため、使用者は、空気調和機２００の運転を開始させても、送風が行われないことに疑問を持つことがなく、空気調和機２００が故障しているとの誤解を生じることがない。また、使用者は、空気調和機２００がニオイカット制御中であることを認識することができる。
【００６４】
実施の形態３．
図１０は、実施の形態３に係る空気調和機２００のフローチャートである。実施の形態３に係る空気調和機２００の構成は、実施の形態１に係る空気調和機２００の構成と同一である。実施の形態３に係る空気調和機２００は、空気調和機２００の圧縮機３１の運転を停止する際の室内送風機２０の動作を特定するものである。実施の形態３に係る空気調和機２００において特に記述しない項目については、図１〜図９に示す空気調和機２００と同様とし、同一の機能及び構成については同一の符号を用いて述べることとする。
【００６５】
まず、前提として実施の形態３に係る空気調和機２００は、冷房運転状態である。制御装置７０は、室内温度センサ５０の検知する室内温度Ｔｅｒと、使用者によって設定された室内設定温度Ｔｅｓｒとを比較する。そして、制御装置７０は、室内温度Ｔｅｒが室内設定温度Ｔｅｓｒ以下であるか否かを判定する（ステップＳ２１）。ステップＳ２１がＮＯの場合、すなわち、室内温度Ｔｅｒが室内設定温度Ｔｅｓｒよりも大きい場合には、制御装置７０は、引き続き冷房運転状態を維持し、室内温度Ｔｅｒと、室内設定温度Ｔｅｓｒとを比較する（ステップＳ２１）。
【００６６】
ステップＳ２１がＹＥＳの場合、すなわち、室内温度Ｔｅｒが室内設定温度Ｔｅｓｒ以下である場合、制御装置７０は、圧縮機３１の運転を停止する（ステップＳ２２）。制御装置７０は、圧縮機３１の停止と共に、人がいない方向に吹出口１３ｃ向くように送風方向を操作する（ステップＳ２３）。なお、人の位置は、人感センサ５６によって検知されている。吹出口１３ｃを人のいない方向に向けるとは、吹出口１３ｃは、図２に示すように、前後左右の４方向に形成されているが、例えば、制御装置７０が、人のいる方向の吹出口１３ｃを閉鎖し、人のいない方向の吹出口１３ｃを開放する。あるいは、吹出口１３ｃを人のいない方向に向けるとは、制御装置７０が、人のいる方向に風が向かわないように、風向きを変更するベーン１５の角度を調整することである。また、空気調和機２００が、壁掛け型の空気調和機であり、上下左右に風を向けることができる風向板を有している場合、吹出口１３ｃを人のいない方向に向けるとは、制御装置７０が、人のいる方向に風が向かわないように、風向板の角度を調整することである。
【００６７】
その後、制御装置７０は、室内送風機２０を設定時間Ｔ５の間駆動させ、室内熱交換器３０を乾燥させる（ステップＳ２４）。なお、制御装置７０は、圧縮機３１の作動停止と共に、室内送風機２０を停止させてもよい。設定時間Ｔ５は、記憶装置８０にあらかじめ記憶させた時間でもよく、各種機器の操作状態に応じて定められる時間であってもよい。
【００６８】
［空気調和機２００の作用効果］
制御装置７０は、圧縮機３１の停止と共に、吹出口１３ｃを人がいない方向に向ける。空気調和機は、上述したように、室内熱交換器の乾き始めのタイミングで悪臭が発生する。そのため、実施の形態３に係る空気調和機２００は、室内熱交換器の乾き始めの際には、人のいない方向に風をむけて送風運転を行う。そのため、実施の形態３に係る空気調和機２００は、室内熱交換器３０の乾き始めの際に人が感じる悪臭を抑制することができる。また、制御装置７０は、圧縮機３１の作動停止と共に、室内送風機２０を停止させてもよい。そのため、実施の形態３に係る空気調和機２００は、室内熱交換器３０から発生する悪臭を室内に送風することがなく、室内熱交換器３０の乾き始めの際に人が感じる悪臭を抑制することができる。
【００６９】
なお、上記の各実施の形態１〜３は、互いに組み合わせて実施することが可能である。また、以上の実施の形態に示した構成は、一例を示すものであり、別の公知の技術と組み合わせることも可能であるし、要旨を逸脱しない範囲で、構成の一部を省略、変更することも可能である。例えば、室内機１００は、天井埋め込み型のものについて説明したが、室内機１００は、天井埋め込み型のものに限定されるものではなく、例えば、壁掛け型、床置き型のものでもよい。
【符号の説明】
【００７０】
２  室内制御基板、３  室外制御基板、５  ケーブル、６  リモコン線、１０  筐体、１１  天板、１２  側板、１３  化粧パネル、１３ａ  開口部、１３ｂ  外縁部、１３ｃ  吹出口、１４  吸込みグリル、１４ａ  吸込口、１５  ベーン、１６  ベルマウス、２０  室内送風機、３０  室内熱交換器、３１  圧縮機、３２  流路切替装置、３３  室外熱交換器、３４  膨張弁、３６  室外送風機、４０  電気品箱、５０  室内温度センサ、５２  配管温度センサ、５４  湿度センサ、５６  人感センサ、５８  リモート温度センサ、７０  制御装置、７１  データ処理部、７２  判定処理部、７３  演算処理部、７４  制御処理部、８０  記憶装置、９０  計時装置、１００  室内機、１２０  冷媒配管、１３０  冷媒配管、１４０  冷媒回路、１５０  室外機、１６０  リモートコントローラ、１６１  操作部、１６２  表示部、２００  空気調和機。
【図１】
2020230233.tif 000003
【図２】
2020230233.tif 000004
【図３】
2020230233.tif 000005
【図４】
2020230233.tif 000006
【図５】
2020230233.tif 000007
【図６】
2020230233.tif 000008
【図７】
2020230233.tif 000009
【図８】
2020230233.tif 000010
【図９】
2020230233.tif 000011
【図１０】
2020230233.tif 000012
【手続補正書】
【提出日】令和3年6月1日(2021.6.1)
【手続補正１】
【補正対象書類名】明細書
【補正対象項目名】０００６
【補正方法】変更
【補正の内容】
【０００６】
本発明に係る空気調和機は、圧縮機、室外熱交換器、絞り装置及び室内熱交換器を配管接続して、冷媒を循環する冷媒回路を有する空気調和機であって、室内熱交換器を構成する伝熱管の温度を検知する配管温度センサと、室内熱交換器と対向し、室内空間に空気を吹き出す室内送風機と、室内空間の温度を検知する室内温度センサと、人の位置を検知する人感センサと、圧縮機の駆動における駆動周波数及び室内送風機の回転駆動における回転数を制御する制御装置と、を備え、制御装置は、冷房運転を行うための圧縮機の運転開始時から室内熱交換器が結露に至ると想定されるあらかじめ定められた第１設定時間を経過した後に、室内送風機を駆動させ、配管温度センサが検出する配管温度と、室内熱交換器が凍結に至ると想定されるあらかじめ定められた配管設定温度とを比較して、配管温度が配管設定温度未満であると判定すると、第１設定時間を経過する前でも室内送風機を駆動させ、室内温度センサが検知する室内温度と、使用者によってあらかじめ定められた室内設定温度とを比較し、室内温度が室内設定温度以下であると判定すると、圧縮機を停止させると共に、室内送風機から吹き出される風を人のいない方向に向けるものである。
【手続補正２】
【補正対象書類名】特許請求の範囲
【補正対象項目名】全文
【補正方法】変更
【補正の内容】
【特許請求の範囲】
【請求項１】
圧縮機、室外熱交換器、絞り装置及び室内熱交換器を配管接続して、冷媒を循環する冷媒回路を有する空気調和機であって、
前記室内熱交換器を構成する伝熱管の温度を検知する配管温度センサと、
前記室内熱交換器と対向し、室内空間に空気を吹き出す室内送風機と、
前記室内空間の温度を検知する室内温度センサと、
人の位置を検知する人感センサと、
前記圧縮機の駆動における駆動周波数及び前記室内送風機の回転駆動における回転数を制御する制御装置と、
を備え、
前記制御装置は、
冷房運転を行うための前記圧縮機の運転開始時から前記室内熱交換器が結露に至ると想定されるあらかじめ定められた第１設定時間を経過した後に、前記室内送風機を駆動させ、
前記配管温度センサが検出する配管温度と、前記室内熱交換器が凍結に至ると想定されるあらかじめ定められた配管設定温度とを比較して、前記配管温度が前記配管設定温度未満であると判定すると、前記第１設定時間を経過する前でも前記室内送風機を駆動させ、
前記室内温度センサが検知する室内温度と、使用者によってあらかじめ定められた室内設定温度とを比較し、前記室内温度が前記室内設定温度以下であると判定すると、前記圧縮機を停止させると共に、前記室内送風機から吹き出される風を人のいない方向に向ける空気調和機。
【請求項２】
前記制御装置は、
前記室内送風機を駆動させる前に、
前記配管温度と露点温度とを比較し、前記配管温度が前記露点温度未満であると判定すると、前記配管温度が前記露点温度未満となった時からあらかじめ定められた第２設定時間を経過した後に前記室内送風機を駆動させる請求項１に記載の空気調和機。
【請求項３】
前記室内空間の湿度を検知する湿度センサと、
を更に備え、
前記制御装置は、
前記室内温度センサが検知する前記室内温度と、前記湿度センサが検知する湿度と、に基づき前記露点温度を算出する請求項２に記載の空気調和機。
【請求項４】
前記制御装置に使用者の指示を入力するための操作部と、前記制御装置に基づく動作状態を表示する表示部と、有し、前記制御装置と通信するリモートコントローラを更に備え、
前記制御装置は、
前記圧縮機の運転開始からあらかじめ定められた第３設定時間を経過するまでの間、前記表示部に、あらかじめ設定した文字を表示する請求項３に記載の空気調和機。
【請求項５】
前記室内熱交換器と前記室内送風機とを収容し、前記室内送風機の駆動により前記室内熱交換器を空気が吹き出される複数の吹出口を形成する筐体を更に備え、
前記制御装置は、
前記複数の吹出口のうち人のいない方向の前記複数の吹出口を開放し、
前記複数の吹出口のうち人のいる方向の前記複数の吹出口を閉鎖する請求項１〜４のいずれか１項に記載の空気調和機。
【請求項６】
前記室内熱交換器と前記室内送風機とを収容し、前記室内送風機の駆動により前記室内熱交換器を空気が吹き出される複数の吹出口を形成する筐体を更に備え、
前記筐体は、前記複数の吹出口のそれぞれに風向板を有し、
前記制御装置は、
前記室内送風機から吹き出される風が人のいない方向に向かうように前記風向板の角度を調整する請求項１〜４のいずれか１項に記載の空気調和機。
【国際調査報告】
2020230233.tif 000013
2020230233.tif 000014
2020230233.tif 000015
2020230233.tif 000016